(57)【要約】【課題】異なる複数の単純な文字情報を、明瞭に視認できるように構成した表示装置を提供する。【解決手段】非晶質透明樹脂板に微細亀裂群から成る文字情報「ＡＢＣ」と「ＸＹＺ」をそれぞれ作成し、その文字情報の表面に帯色層を設けて成る表示板１ａ、１ｂ、２ａ、２ｂにより筒状に構成された表示体１０を、両端部が固持された軸扞８に回転自在に支承し、この表示体１０の左右側端部に、内面に発光ダイオード１６、１７をそれぞれ配置した光源機構１１、１２を対峙して設置し、表示体１０を間欠回転すると共に、発光ダイオードの光源を点灯して、その光線を表示状態に位置した表示板の端面から入光させて、前記微細亀裂群を光輝させて成る。【選択図】  図４
2004163838.tif 000002
【特許請求の範囲】
【請求項１】
非晶質透明樹脂板に微細亀裂群から成る文字（図形、記号を含む）情報を作成した導光板の表面に、前記文字情報に相当して帯色層を設けて成る複数の表示板より筒状に構成された表示体と、該表示体を、単位表示板が一定の表示位置で切換わるように間欠回転する回転機構と、表示体の側端部に対峙して設置され、表示状態に位置する表示板の端面と対向するように光源を配置して成る光源機構とから構成され、光源からの光線を、表示板の端面から入光させて、前記微細亀裂群を光輝させることを特徴とした表示装置。
【請求項２】
文字情報に相当して設けられた帯色層の色調を、文字情報毎に異ならしめて成る請求項１記載の表示装置。
【請求項３】
光源機構が、色調を異にする複数の光源を配置して成り、単位表示板が表示状態に位置したとき、当該単位表示板の色調と等しい色調の光源を点灯させて成る請求項２記載の表示装置。
【請求項４】
非晶質透明樹脂板に、微細亀裂群から成る文字（図形、記号を含む）情報を作成した導光板の表面に、前記文字情報に相当して帯色層を設けて成る４枚の表示板により筒状に構成された表示体と、この表示体を９０°毎に間歇回転する回転機構と、表示体の側端部に対峙して設置され、表示状態に位置する表示板の端面と対向するように光源を配置した光源機構とから構成され、前記表示体は、隣接する表示板同士では文字情報を異にし、対向する表示板同士では文字情報を等しく構成され、表示状態に位置する表示板の端面から、これと対向する光源の光線を入光させて、前記微細亀裂群を光輝させることを特徴とする表示装置。
【請求項５】
表示体の一方で対向する表示板の帯色層と、他方で対向する表示板の帯色層との色調を異にし、かつ、光源機構に配置される光源が、異なる色調の複数の光源から成り、この複数の光源を、表示状態に位置する表示板の端面に入光する光源の色調が、該表示板に設けた帯色層の色調と等しくなるように切換えて成る請求項４記載の表示装置。
【請求項６】
表示体が、その軸芯に沿って配置された軸扞に対し回転自在に支承され、かつ、表示体内において、表示体と軸扞との間に、回転機構を備えて成る請求項１、２、３、４または５記載の表示装置。
【請求項７】
光源機構に配置した光源が、複数の発光ダイオードから成る請求項１、２、３、４、５または６記載の表示装置。
【発明の詳細な説明】
【０００１】
【産業上の利用分野】
本願は、複数の単純な情報を間欠回転操作により順次表示して、他人にその情報を視認させるために使用する表示装置に関する。
【０００２】
【従来の技術】
【特許文献１】
特開平８−２８８９７６号公報
従来、昼夜の視認性が高く、画面切替を可能として異なる単純な情報を表示する表示装置は、一般に複数の表示板によって構成された中空筒状の表示体と、これを表示板が一定の表示位置で切換わるように間欠回転する回転機構と、表示体に内蔵された照明用蛍光灯とから構成され、前記表示板には、昼間においても容易に視認できるように、帯色を有した文字（図形、記号を含む以下同じ）が施されており、また夜間においては、蛍光灯により表示板を照明して文字による情報を視認させていた。
【０００３】
【発明を解決しようとする課題】
ところが、従来構成の表示装置によれば、表示体は蛍光灯を内臓しているので、蛍光灯を交換する場合に、装置の一部を取外さなければならないなどの頻雑な手数を要し、また、蛍光灯の点灯時に表示面に影が生じないように、表示体の回転駆動系の配置構成に制約を受けるという不都合があった。
また、表示面の色調を光学的に明瞭にするために、表示面の色調に合わせて色調の異なる複数本の蛍光灯を表示体内に配置する必要があり、この構成によれば、構造が複雑となるばかりでなく、均一な照明が得られないという不都合があった。
【０００４】
ところで、従来非晶質透明樹脂板に微細亀裂群からなる画像を作成し、これに斜め方向から、あるいは、板材の材料にあっては、端面部から光線を照射することにより、亀裂部位で多重の全反射を生じさせて高輝度の光輝画像を出現させることができる導光板は、特許文献１において公知である。
そこで、本願は、上記した非晶質透明樹脂板に微細亀裂群からなる文字（図形、記号を含む）を作成した導光板を用いて従来のものの不都合を解消することを目的としたものである。
【０００５】
【課題を解決するための手段】
本願は、上記した目的を達成するために、非晶質透明樹脂板に微細亀裂群から成る文字（図形、記号を含む）情報を作成した導光板の表面に、前記文字情報に相当して帯色層を設けて成る複数の表示板より筒状に構成された表示体と、該表示体を、単位表示板が一定の表示位置で切換わるように間欠回転する回転機構と、表示体の側端部に対峙して設置され、表示状態に位置する表示板の端面と対向するように光源を配置して成る光源機構とから構成され、光源からの光線を、表示板の端面から入光させて、前記微細亀裂群を光輝させることを特徴としたものである。
【０００６】
好ましくは、文字情報に相当して設けられた帯色層の色調を文字情報毎に異ならしめて成り、また、光源機構が、色調を異にする複数の光源を配置して成り、単位表示板が表示状態に位置したとき、当該単位表示板の色調と等しい色調の光源を点灯させて成るものである。
【０００７】
さらに、本願は、異なる２つの情報を表示するために好適な表示装置として、非晶質透明樹脂板に、微細亀裂群から成る文字（図形、記号を含む）情報を作成した導光板の表面に、前記文字情報に相当して帯色層を設けて成る４枚の表示板により筒状に構成された表示体と、この表示体を９０°毎に間歇回転する回転機構と、表示体の側端部に対峙して設置され、表示状態に位置する表示板の端面と対向するように光源を配置して成る光源機構とから構成され、前記表示体は、隣接する表示板同士では文字情報を異にし、対向する表示板同士では文字情報を等しく構成され、表示状態に位置する表示板の端面から、これと対向する光源の光線を入光させて、前記微細亀裂群を光輝させることを特徴とする表示装置を提供するものである。
【０００８】
上記した構成において、表示体の一方で対向する表示板の帯色層と、他方で対向する表示板の帯色層との色調を異にし、かつ、光源機構に配置される光源が、異なる色調の複数の光源から成り、この複数の光源を、表示状態に位置する表示板の端面に入光する光源の色調が、該表示板に設けた帯色層の色調と等しくなるように、切換えて成り、また、表示体が、その軸芯に沿って配置された軸扞に対し回転自在に支承され、かつ、表示体内において、表示体と軸扞との間に、回転機構を備えて成り、さらにまた、光源機構に配置した光源が、複数の発光ダイオードから成るものである。
【０００９】
【発明の実施の形態】
以下、図面にもとづいて本願の実施の形態を詳述する。図面は、異なる２つの文字情報を交互に切換えると共に、１つの情報を対向する前後の２方向から同時に視認できるように構成した場合を示している。
すなわち、表示体１０は、４枚の表示板１ａ、１ｂと２ａ、２ｂとにより断面正方形状の筒体から成り、表示板１ａ、１ｂには、一方の情報として「ＡＢＣ」の文字が、また２ａ、２ｂには、他方の情報として「ＸＹＺ」の文字がそれぞれ表示されており、その表示は、文字に限定されるものではなく、図形、記号およびそれらの組合せから成る場合も存在する。
【００１０】
前記表示板１ａ、１ｂ、２ａ、２ｂは、特許文献１において開示された、非晶質透明樹脂板に、微細亀裂群から成る文字（図形、記号を含む以下同じ）を作成した導光板、すなわち図５で示すように、微細亀裂群３から「ＡＢＣ」乃至「ＸＹＺ」の文字を表現した導光板４から成り、この導光板４の表面には、該文字に相当して帯色層５が設けられる。
この帯色層５は、印刷による場合、或いは文字に合わせてカットしたカラーシートを接着して形成する場合などがあり、また、表示される文字は好ましくは、情報毎に色別され、例えば「ＡＢＣ」を赤色に、また、「ＸＹＺ」を青色に設定される。
【００１１】
このように、導光板から成る４枚の表示板１ａ、１ｂ、２ａ、２ｂは、４周縁に沿ってリブ６を直角に有した方形状の左右取付板７により組付けられて断面正方形状の筒体により表示体１０を構成する。
この表示体１０は、その軸芯に沿って伸びる軸扞８により回転自在に支承され、この軸扞８の両端部は、前記左右側板７、７の中心孔９を貫通して側方に伸びてあり、この両端部は、前記表示体１０の左右側端部と対峙して設置された左右１対の光源機構１１、１２に軸受部材１３を介して固持されている。
【００１２】
前記光源機構１１、１２は、前記表示体１０の断面形とほゞ合致する正方形状の基板１４の内面前後縁に沿って設けたソケット部１５を介して複数の発光ダイオード（ＬＥＤ）１６乃至１７を配設して成り、このように配設された発光ダイオード１６乃至１７は、前記表示体１０の前後で対向する表示板１ａ、１ｂ乃至２ａ、２ｂの端面と対向する。
本例において、一方の対向する表示板１ａ、１ｂの表示文字「ＡＢＣ」を赤色表示し、他方の対向する表示板２ａ、２ｂの表示文字「ＸＹＺ」を青色表示とした場合を例示していることにより、一方の光源機構１１に配設される発光ダイオードとして赤色発光ダイオード１６を用い、他方の光源機構１２に配設される発光ダイオードとして青色発光ダイオード１７を用いる。
【００１３】
このように、軸扞８によって回転可能に支承された表示体１０と、その左右側端部に、これと対峙して配置された左右１対の光源機構１１、１２とは、前後面に表示窓１８、１９を設けた防護カバー２０内に収納されていると共に、前記光源機構１１、１２は、前記防護カバー２０の内側面に支持具２１により固着され、また前記軸受部材１３も亦前記防護カバー２０の左右側板に固着され、従って軸扞８は、その両端部が光源機構１１、１２および防護カバー２０に対し軸止される。
【００１４】
前記表示筒１と軸扞８との間には、表示筒１０を９０°毎に間欠回転する回転機構２１が装備されている。
この回転機構２１は、一方の側板７の内面に設けた駆動部２２と、この駆動部２２の回転軸２２ａと前記軸扞７との間に設けられた回転伝達機構２３とから成り、前記駆動部２２は、防護カバー２０に設けた手動スイッチ２４を操作する毎に表示体１０が９０°毎に順次間欠回転するように駆動制御され、また、図示しないが、表示体１０が９０°回転する毎に、一方の発光ダイオード１６の通電回路と、他方の発光ダイオード１７の通電回路とを交互に切換える切換スイッチが防護カバー２０内の適所に設けてある。
【００１５】
しかして、使用状態においては、表示体１０のいづれか一方の対向する表示板、例えば図１、３で示すように「ＡＢＣ」の文字を表示した表示板１ａ、１ｂが、防護カバー２０の前後で対向する表示窓１８、１９に位置して外部から視認することができる。
この状態から、手動スイッチ２４を切換えると、表示体１０は軸扞８に対し９０°回転し、これによって今度は、「ＸＹＺ」の文字を表示した表示板２ａ、２ｂは、防護カバー２０の前後で対向する表示窓１８、１９に位置して視認可能の状態となる。
【００１６】
上記において、表示板１ａ、１ｂに表示された文字「ＡＢＣ」は、帯色層５により赤色に、また表示板２ａ、２ｂに表示された文字「ＸＹＺ」も、帯色層５により青色にそれぞれ帯色されているので、日中の明るい状態でも容易に視認することができ、加えて、表示板１ａ、１ｂの表示状態においては、赤色の発光ダイオード１６が点灯し、表示板２ａ、２ｂの表示状態においては、青色の発光ダイオードが点灯し、その光線は、表示版の端面から入光して、微細亀裂群３の位置で光輝し、それによって表示した文字は浮き上がった状態で明瞭に視認することができる。
【００１７】
上記実施例は、異なる２つの情報として、その一方を「ＡＢＣ」とし、その他方を「ＸＹＺ」とした場合について例示したが、例えばビル内の駐車場の管理において、その一方を「空車」、その他方を「満車」とする２つの情報を提供する場合、或いは営業上の情報として、その一方を「営業中」、その他方を「閉店」の２つの情報を提供する場合などに適用される。
【００１８】
また、上記実施例は、異なる２つの情報のそれぞれを、防護カバー２０の前後で対向する２つの表示窓１８、１９で同時に表示する場合について例示したが、防護カバー２０の一方にのみ表示窓を形成し、かつ、表示体１０を、４つの異なる文字情報を表示した４枚の表示板により構成するときは、前記表示窓により４つの情報を順次表示することができる。
【００１９】
また、上記実施例は、一方の表示板１ａ、１ｂを赤色に照明するために、一方の光源機構１１に赤色発光ダイオード１６を配設し、他方の表示板２ａ、２ｂを青色に照明するために、他方の光源機構１２に青色発光ダイオード１７を配設して、表示板１ａ、１ｂが表示状態に位置したとき赤色発光ダイオード１６を点灯し、表示板２ａ、２ｂが表示状態に位置したとき青色発光ダイオード１７を点灯する場合を例示したが、光源機構１１または／および１２に、それぞれ赤色発光ダイオード１６と青色発光ダイオード１７とを同一列に例えば交互に配設して、一方の表示板１ａ、１ｂを表示するときに、赤色発光ダイオード１６を点灯し、他方の表示板２ａ、２ｂを表示するとき、青色発光ダイオード１７を点灯させてもよいことは勿論である。
【００２０】
【発明の効果】
以上詳記したように、本願によれば、表示板の表面に、文字（図形、記号を含む）から成る情報に相当して帯色層を設けているので、日中太陽光線が存在する状態であっても、表示板の情報を明瞭に視認することができ、また暗い状態で光源を点灯するときは、導光板に作成した微細亀裂群が強く光輝し、これに色調も加わって、表示板の情報を明瞭に視認することができる。
さらにまた、本願によれば、光源機構が、表示体から分離してその側縁部に設置してあるので、照明に影が生じる惧れがないと共に、光源の交換など光源機構の補修作業も容易に実行できるという利点を有する。
【００２１】
特に、請求項２記載の発明によれば、異なる情報毎に、帯色層の色調が異なるので、情報の区別が容易に視認でき、さらに請求項３記載の発明によれば、光源による色調も加わるので、より一層異なる情報の区別を容易に視認することができる。
【００２２】
また、請求項４記載の発明によれば、同一の情報を対向する２方向から同時に視認することができて極めて便利であり、特に、請求項５記載の発明によれば、光学的色調も加わるので、高い視認度を得ることができる。
【００２３】
また、請求項６記載の発明によれば、回転機構部が表示体に内蔵されるので、装置の小型化に有効であり、さらにまた請求項７記載の発明によれば、光源を発光ダイオードとしたので、耐久性に富むと共に、多くの光学的色調が表現でき、かつ、視認効果を高めるために、光源に、点滅機能を容易に付与することができるなどの利点を有する。
【図面の簡単な説明】
【図１】総体斜視図
【図２】中央縦断正面図
【図３】中央集団側面図
【図４】表示体と光源機構との関係を示す斜視図
【図５】表示板の部分端面図
【符号の説明】
１ａ、１ｂ、２ａ、２ｂ      表示板
３      微細亀裂群
４      導光板
５      帯色層
８      軸扞
１０    表示体
１１、１２    光源機構
１６、１７    発光ダイオード
１８、１９    表示窓
２０    防護カバー
２１    回転機構
【図１】
2004163838.tif 000003
【図２】
2004163838.tif 000004
【図３】
2004163838.tif 000005
【図４】
2004163838.tif 000006
【図５】
2004163838.tif 000007